(57)【要約】【課題】使用回数が多くなっても密閉機能が劣化しない密閉構造を有する蓋を提供する。【解決手段】容器本体の内部と外部とを連通する通気口１１４の周囲にはリング状の通気孔壁部１１５が形成されている。通気孔壁部１１５には密閉栓１２０の裏面から突出して形成されているリング状の壁部１２７が嵌め込み可能であるようになっている。密閉栓１２０は、通気口１１４に嵌め込まれる位置と、通気口１１４から外れる位置との間をシーソー状に揺動する。【選択図】図４
0003148529.tif 000002
【実用新案登録請求の範囲】
【請求項１】
容器本体の開口部に嵌められる蓋であって、
前記蓋は、前記容器本体の開口部に嵌められる蓋本体と、密閉栓と、を備えており、
前記蓋本体には第一の凹部が形成されており、
前記第一の凹部には、前記容器本体の内部と連通する通気口が形成されるとともに、前記通気口の外周縁に沿って通気口壁部が突出して形成され、
前記通気口壁部の高さは前記蓋本体の表面よりも高くなく、
前記密閉栓には前記通気口壁部に嵌め込み可能な壁部が形成されており、
前記壁部は、内壁部と、前記内壁部よりも外側に位置する外壁部と、から構成されており、前記通気口壁部は前記内壁部と前記外壁部との間の隙間に嵌め込み可能に形成されており、
前記密閉栓は、前記壁部が前記通気口壁部に嵌められる第一位置と、前記壁部が前記通気口壁部から外される第二位置との間において揺動可能であるように前記蓋本体に取り付けられているものである蓋。
【請求項２】
容器本体の開口部に嵌められる蓋であって、
前記蓋は、前記容器本体の開口部に嵌められる蓋本体と、密閉栓と、を備えており、
前記蓋本体には、第一の凹部と、前記第一の凹部と隣接し、前記第一の凹部よりも深い第二の凹部とが形成されており、
前記第一の凹部には、前記容器本体の内部と連通する通気口が形成されるとともに、前記通気口の外周縁に沿って通気口壁部が突出して形成され、
前記通気口壁部の高さは前記蓋本体の表面よりも高くなく、
前記密閉栓は、前記第一の凹部を少なくとも部分的に覆う第一領域と、前記第二の凹部を少なくとも部分的に覆う第二領域とを備えており、
前記密閉栓の前記第一領域には前記通気口壁部に嵌め込み可能な壁部が形成されており、
前記壁部は、内壁部と、前記内壁部よりも外側に位置する外壁部と、から構成されており、前記通気口壁部は前記内壁部と前記外壁部との間の隙間に嵌め込み可能に形成されており、
前記密閉栓は、前記壁部が前記通気口壁部に嵌められる第一位置と、前記壁部が前記通気口壁部から外され、かつ、前記第二領域が前記第二の凹部内に位置する第二位置との間において揺動可能であるように前記蓋本体に取り付けられているものである蓋。
【請求項３】
容器本体の開口部に嵌められる蓋であって、
前記蓋は、前記容器本体の開口部に嵌められる蓋本体と、密閉栓と、を備えており、
前記蓋本体には前記容器本体の内部と連通する通気口が形成されており、
前記密閉栓は前記密閉栓の裏面から突出し、少なくとも先端において凹部を形成する壁部を備えており、
前記通気口の外周縁には、前記密閉栓の前記壁部の内壁に接する第一凸部及び前記密閉栓の前記壁部の外壁に接する第二凸部からなる凸部が形成されており、
前記密閉栓は、前記凸部に嵌められる第一位置と、前記凸部から外される第二位置との間において揺動可能であるように前記蓋本体に取り付けられているものである蓋。
【請求項４】
容器本体の開口部に嵌められる蓋であって、
前記蓋は、前記容器本体の開口部に嵌められる蓋本体と、密閉栓と、を備えており、
前記蓋本体には、第一の凹部と、前記第一の凹部と隣接し、前記第一の凹部よりも深い第二の凹部とが形成されており、
前記第一の凹部には、前記容器本体の内部と連通する通気口が形成され、
前記密閉栓は、前記密閉栓の裏面から突出し、少なくとも先端において凹部を形成する壁部を備えており、
前記通気口の外周縁には、前記密閉栓の前記壁部の内壁に接する第一凸部及び前記密閉栓の前記壁部の外壁に接する第二凸部からなる凸部が形成されており、
前記密閉栓は、前記凸部に嵌められる第一位置と、前記凸部から外され、かつ、前記第二領域が前記第二の凹部内に位置する第二位置との間において揺動可能であるように前記蓋本体に取り付けられているものである蓋。
【考案の詳細な説明】
【技術分野】
【０００１】
本考案は、容器本体の開口部に嵌められる蓋であって、容器本体の内部と外部とを自在に連通または遮断する機能を有する蓋に関する。
【背景技術】
【０００２】
このような蓋の一例として実公平６−２４３８２号公報に記載されたものがある。
【０００３】
図６は上記公報に記載された蓋の斜視図、図７及び図８はこの蓋が備える開閉機構を示す断面図である。
【０００４】
図６に示すように、上記公報に記載された蓋２は容器本体１に対して嵌め込まれる。容器本体１には回動可能な掛け止め用のアーム３が形成され、蓋２にはアーム３が係止可能な係止部４が形成されている。アーム３を係止部４に係止させることにより、蓋２を容器本体１に対して固定することができ、あるいは、アーム３を係止部４から外すことにより、蓋２を容器本体１から取り外すことができる。
【０００５】
図７及び図８に示すように、蓋２の表面には凹部５が形成されており、凹部５の底面には通気口６が形成されている。容器本体１の内部は通気口６を介して外部と連通可能である。
【０００６】
凹部５の側壁にはシーソー式の作動板７が揺動可能に取り付けられている。作動板７の下面側には、通気口６と対応する位置において、密閉栓８が形成されている。
【０００７】
図７に示すように、作動板７を反時計方向に回動させ、密閉栓８を通気口６に嵌め込むことにより、容器本体１の内部が密閉状態となる。
【０００８】
図８に示すように、作動板７を時計方向に回動させ、密閉栓８を通気口６から抜くことにより、容器本体１の内部が外部と連通状態になる。
【０００９】
図６乃至図８に示す容器本体１及び蓋２は、容器本体１の中身がこぼれないように、あるいは、容器本体１の中身の臭気が外部に漏れないようにするために、密閉栓８を通気口６に嵌め込んで用いられる。
【００１０】
ただし、容器本体１に中身を入れた状態のまま加熱処理を行う必要がある場合（例えば、中身を容器ごと電子レンジで加熱する場合）には、容器本体１内の圧力上昇を回避するため、密閉栓８を通気口６から引き抜いて使用する。
【考案の開示】
【考案が解決しようとする課題】
【００１１】
図６乃至図８に示した蓋２の密閉構造においては、使用回数が多くなるにつれて、通気口６と密閉栓８との間の摩耗が進行し、通気口６と密閉栓８との間に隙間ができてくるという問題点があった。
【００１２】
隙間ができると、密閉栓８を通気口６に対して嵌め込んでいても、容器本体１の内部と外部との間で空気漏れが発生し、ひいては、容器本体１の中身がこぼれたり、臭気が外部に発散したり、あるいは、容器本体１の中身が酸化したりするという問題を派生することになる。
【００１３】
本考案は以上のような従来の蓋の密閉構造における問題点に鑑みてなされたものであり、使用回数が多くなっても密閉機能が劣化しない密閉構造を有する蓋を提供することを目的とする。
【課題を解決するための手段】
【００１４】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【００１５】
上記の目的を達成するため、第一の態様に係る本考案は、容器本体（１３０）の開口部に嵌められる蓋（１００）であって、前記蓋（１００）は、前記容器本体（１３０）の開口部に嵌められる蓋本体（１１０）と、密閉栓（１２０）と、を備えており、前記蓋本体（１１０）には第一の凹部（１１１）が形成されており、前記第一の凹部（１１１）には、前記容器本体（１３０）の内部と連通する通気口（１１４）が形成されるとともに、前記通気口（１１４）の外周縁に沿って通気口壁部（１１５）が突出して形成され、前記通気口壁部（１１５）の高さは前記蓋本体（１１０）の表面よりも高くなく、前記密閉栓（１２０）には前記通気口壁部（１１５）に嵌め込み可能な壁部（１２７）が形成されており、前記壁部（１２７）は、内壁部（１２７ａ）と、前記内壁部（１２７ａ）よりも外側に位置する外壁部（１２７ｂ）と、から構成されており、前記通気口壁部（１１５）は前記内壁部（１２７ａ）と前記外壁部（１２７ｂ）との間の隙間に嵌め込み可能に形成されており、前記密閉栓（１２０）は、前記壁部（１２７）が前記通気口壁部（１１５）に嵌められる第一位置と、前記壁部（１２７）が前記通気口壁部（１１５）から外される第二位置との間において揺動可能であるように前記蓋本体（１１０）に取り付けられているものである蓋（１００）を提供する。
【００１６】
さらに、第二の態様に係る本考案は、容器本体（１３０）の開口部に嵌められる蓋（１００）であって、前記蓋（１００）は、前記容器本体（１３０）の開口部に嵌められる蓋本体（１１０）と、密閉栓（１２０）と、を備えており、前記蓋本体（１１０）には、第一の凹部（１１１）と、前記第一の凹部（１１１）と隣接し、前記第一の凹部（１１１）よりも深い第二の凹部（１１２）とが形成されており、前記第一の凹部（１１１）には、前記容器本体（１３０）の内部と連通する通気口（１１４）が形成されるとともに、前記通気口（１１４）の外周縁に沿って通気口壁部（１１５）が突出して形成され、前記通気口壁部（１１５）の高さは前記蓋本体（１１０）の表面よりも高くなく、前記密閉栓（１２０）は、前記第一の凹部（１１１）を少なくとも部分的に覆う第一領域（１２１）と、前記第二の凹部（１１２）を少なくとも部分的に覆う第二領域（１２２）とを備えており、前記密閉栓（１２０）の前記第一領域（１２１）には前記通気口壁部（１１５）に嵌め込み可能な壁部（１２７）が形成されており、前記壁部（１２７）は、内壁部（１２７ａ）と、前記内壁部（１２７ａ）よりも外側に位置する外壁部（１２７ｂ）と、から構成されており、前記通気口壁部（１１５）は前記内壁部（１２７ａ）と前記外壁部（１２７ｂ）との間の隙間に嵌め込み可能に形成されており、前記密閉栓（１２０）は、前記壁部（１２７）が前記通気口壁部（１１５）に嵌められる第一位置と、前記壁部（１２７）が前記通気口壁部（１１５）から外され、かつ、前記第二領域（１２２）が前記第二の凹部（１１２）内に位置する第二位置との間において揺動可能であるように前記蓋本体（１１０）に取り付けられているものである蓋（１００）を提供する。
【００１７】
さらに、第三の態様に係る本考案は、容器本体（１３０）の開口部に嵌められる蓋（２００）であって、前記蓋（２００）は、前記容器本体（１３０）の開口部に嵌められる蓋本体（１１０）と、密閉栓（１２０）と、を備えており、前記蓋本体（１１０）には前記容器本体（１３０）の内部と連通する通気口（１１４）が形成されており、前記密閉栓（１２０）は前記密閉栓（１２０）の裏面から突出し、少なくとも先端において凹部を形成する壁部（２２７）を備えており、前記通気口（１１４）の外周縁には、前記密閉栓（１２０）の前記壁部（２２７）の内壁に接する第一凸部（２２１）及び前記密閉栓（１２０）の前記壁部（２２７）の外壁に接する第二凸部（２１２）からなる凸部（２１０）が形成されており、前記密閉栓（１２０）は、前記凸部（２１０）に嵌められる第一位置と、前記凸部（２１０）から外される第二位置との間において揺動可能であるように前記蓋本体（１１０）に取り付けられているものである蓋（２００）を提供する。
【００１８】
さらに、第四の態様に係る本考案は、容器本体（１３０）の開口部に嵌められる蓋（２００）であって、前記蓋（２００）は、前記容器本体（１３０）の開口部に嵌められる蓋本体（１１０）と、密閉栓（１２０）と、を備えており、前記蓋本体（１１０）には、第一の凹部（１１１）と、前記第一の凹部（１１１）と隣接し、前記第一の凹部（１１１）よりも深い第二の凹部（１１２）とが形成されており、前記第一の凹部（１１１）には、前記容器本体（１３０）の内部と連通する通気口（１１４）が形成され、前記密閉栓（１２０）は、前記密閉栓（１２０）の裏面から突出し、少なくとも先端において凹部を形成する壁部（２２７）を備えており、前記通気口（１１４）の外周縁には、前記密閉栓（１２０）の前記壁部（２２７）の内壁に接する第一凸部（２１１）及び前記密閉栓（１２０）の前記壁部（２２７）の外壁に接する第二凸部（２１２）からなる凸部（２１０）が形成されており、前記密閉栓（１２０）は、前記凸部（２１０）に嵌められる第一位置と、前記凸部（２１０）から外され、かつ、前記第二領域（１２２）が前記第二の凹部（１１２）内に位置する第二位置との間において揺動可能であるように前記蓋本体（１１０）に取り付けられているものである蓋（２００）を提供する。
【考案の効果】
【００１９】
図６乃至図８に示した従来の蓋２の密閉構造においては、使用回数が多くなるにつれて、通気口６と密閉栓８との間の摩耗が進行し、通気口６と密閉栓８との間に隙間ができてくるという問題点があった。
【００２０】
これに対して、上述の第一または第二の態様の本考案に係る蓋においては、壁部は、通気口壁部の内壁及び外壁において通気口壁部に嵌め込み可能な構造であるため、通気孔壁部の内壁と当接する部分及び通気孔壁部の外壁と当接する部分の何れかが摩耗したとしても、他方により通気口との間の密閉性が維持されるため、壁部と密閉栓との間に隙間が生じることはない。
【００２１】
同様に、上述の第三または第四の態様の本考案に係る蓋においては、壁部は、第一凸部及び第二凸部の間の隙間に嵌め込み可能な構造であるため、第一凸部の外壁と当接する部分または第二凸部の内壁と当接する部分の何れかが摩耗したとしても、他方により通気口との間の密閉性が維持されるため、壁部と密閉栓との間に隙間が生じることはない。
【考案を実施するための最良の形態】
【００２２】
（第一の実施形態）
図１は本考案の第一の実施形態に係る蓋１００を構成する蓋本体１１０の斜視図、図２は本考案の第一の実施形態に係る蓋１００を構成する密閉栓１２０の斜視図、図３は第一の実施形態に係る蓋１００を容器本体１３０に嵌めた状態における断面斜視図である。
【００２３】
本実施形態に係る蓋１００は、図１に示す蓋本体１１０と、図２に示す密閉栓１２０とからなる。
【００２４】
図３に示すように、本実施形態に係る蓋１００は容器本体１３０の開口部に嵌められて使用される。
【００２５】
図１に示すように、蓋本体１１０は円板状をなしており、蓋本体１１０には、蓋本体１１０の中心を通る直径上に位置するように、第一の凹部１１１と、第一の凹部１１１と隣接する第二の凹部１１２と、が形成されている。
【００２６】
第二の段部１１２は第一の凹部１１１よりも深く形成されている。
【００２７】
第一の凹部１１１及び第二の凹部１１２は協働して楕円形状をなしている。
【００２８】
第一の凹部１１１と第二の凹部１１２との間には直立壁１１３が形成されている。直立壁１１３の頂点は蓋本体１１０の表面と同一面上にある。
【００２９】
第一の凹部１１１の底面には通気口１１４が形成され、さらに、通気口１１４の外周縁に沿って上方に突出するリング状または円筒状の通気口壁部１１５が形成されている。通気口１１４は容器本体１３０の内部を外部と連通させている。
【００３０】
通気口壁部１１５の高さは、図３に示すように、通気口壁部１１５の頂点が蓋本体１１０の表面と同一面上にあるように設定されている。
【００３１】
図２に示すように、密閉栓１２０は第一の凹部１１１と第二の凹部１１２とを統合した楕円形と同一の楕円形をなしており、第一の凹部１１１と第二の凹部１１２に嵌め込むことができるようになっている。
【００３２】
図２に示すように、密閉栓１２０は、第一の凹部１１１を覆う第一領域１２１と、第二の凹部１１２を覆う第二領域１２２とからなる。
【００３３】
密閉栓１２０の裏面には、密閉栓１２０の一端（第一領域１２１内の端部）には第一の凹部１１１の直立壁部分に当接する側壁１２３が形成され、さらに、密閉栓１２０の他端（第二領域１２２内の端部）には第二の凹部の直立壁部分に当接する側壁１２４が形成されている。
【００３４】
また、密閉栓１２０の裏面には、第一領域１２１と第二領域１２２との境界線に沿って、第二領域１２２の側に中間壁１２５が形成されている。中間壁１２５は密閉栓１２０の裏面から下方に突出している
中間壁１２５の両側面には円形の孔１２６が形成されている。第二の凹部１１２の側壁（第一の凹部１１１及び第二の凹部１１２がなす楕円形状の長径方向に延びる壁部）には孔１２６に対応する位置において凹部（図示せず）が形成されており、孔１２６及び当該凹部の双方にピン（図示せず）を挿入することにより、密閉栓１２０は蓋本体１１０に対して支持され、かつ、孔１２６を中心として揺動可能になっている。
【００３５】
密閉栓１２０の裏面には、第一領域１２１において、壁部１２７が形成されている。
【００３６】
壁部１２７は円筒形状をなしており、通気口壁部１１５に嵌め込むことができるように形成されている。具体的には、図３に示すように、壁部１２７は、リング状の内壁部１２７ａと、内壁部１２７ａよりも大きい外径を有する外壁部１２７ｂと、から構成されており、内壁部１２７ａの外径と外壁部１２７ｂの内径との差が通気口壁部１１５の肉厚に等しくなるように形成されている。このため、通気口壁部１１５を内壁部１２７ａと外壁部１２７ｂとの間のスペースに嵌め込むことができるようになっている。
【００３７】
図４（Ａ）及び図４（Ｂ）は本実施形態に係る蓋１００の部分的な断面図、具体的には、密閉栓１２０と第一の凹部１１１及び第二の凹部１１２との位置関係を示す断面図である。
【００３８】
密閉栓１２０は孔１２６を中心として揺動可能であり、さらに、密閉栓１２０の裏面には壁部１２７が形成されていることから、密閉栓１２０は、壁部１２７が通気口壁部１１５に嵌められている第一位置（図４（Ａ）に示す位置）と、第一位置から時計方向に揺動し、壁部１２７が通気口壁部１１５から外れる第二位置（図４（Ｂ）に示す位置）との間を揺動することが可能である。
【００３９】
なお、第二位置においては、図４（Ｂ）に示すように、密閉栓１２０の第二領域１２２は第二の凹部１１２の内部に位置する。
【００４０】
以上のような構造を有する本実施形態に係る蓋１００は以下のように使用される。
【００４１】
容器本体１３０の内部に食材を入れた後、蓋１００を容器本体１３０の開口部に嵌め込む。この後、孔１２６を中心として密閉栓１２０を反時計方向に揺動させることにより、密閉栓１２０を通気口壁部１１５に嵌め込む。すなわち、密閉栓１２０を図４（Ａ）に示す第一位置に位置させる。
【００４２】
これにより、容器本体１３０の内部の食材（特に、液体、流動体などの食材）が通気口１１４からこぼれ出すことを防止することができるとともに、容器本体１３０の内部の食材が臭気を有するものである場合には、その臭気が通気口１１４から外部に漏れ出ることを防止することができる。さらに、容器本体１３０の内部の食材が酸化により品質が劣化するものである場合には、密閉栓１２０で通気口１１４を塞ぐことにより、外部の空気が容器本体１３０の内部に流入することを防止することができるため、容器本体１３０の内部の食材の酸化を防止することができる。
【００４３】
容器本体１３０の内部の食材を加熱するような場合、容器本体１３０が密閉された状態のままだと内圧が過度に上昇する。このため、容器本体１３０を加熱するような場合には、孔１２６を中心として時計方向に密閉栓１２０を揺動させることにより、通気口１１４を開放する。すなわち、密閉栓１２０を図４（Ｂ）に示す第二位置に移行させる。
【００４４】
これにより、容器本体１３０を加熱することにより生じた容器本体１３０の内部の高温空気が通気口１１４から外部に逃げるため、容器本体１３０の内圧の過度の上昇を回避することができる。
【００４５】
なお、密閉栓１２０を第一位置から第二位置に移行させるためには、例えば、密閉栓１２０の第二領域１２２を下方に押せばよく、逆に、密閉栓１２０を第二位置から第一位置に移行させるためには、例えば、密閉栓１２０の第一領域１２１を下方に押せばよい。
【００４６】
図６乃至図８に示した従来の蓋２の密閉構造においては、使用回数が多くなるにつれて、通気口６と密閉栓８との間の摩耗が進行し、通気口６と密閉栓８との間に隙間ができてくるという問題点があった。
【００４７】
これに対して、本実施形態に係る蓋１００は壁部１２７の内壁部１２７ａと外壁部１２７ｂとがリング状の通気口壁部１１５に嵌合する構造であるため、内壁部１２７ａ及び外壁部１２７ｂの何れかが摩耗したとしても、他方により通気口壁部１１５との間の密閉性が維持されるため、壁部１２７と密閉栓１２０との間に隙間が生じることはない。
【００４８】
以上のような構造を有する本実施形態に係る蓋１００は上記の構造に限定されるものではなく、種々の改変が可能である。
【００４９】
本実施形態に係る蓋１００においては、密閉栓１２０の第一領域１２１は第一の凹部１１１を全域にわたって覆うような大きさを有しているが、そのようにすることは必ずしも必要ではなく、壁部１２７を形成することができる領域を確保できる限りにおいて、第一領域１２１は任意の大きさとすることが可能である。
【００５０】
同様に、本実施形態に係る蓋１００においては、密閉栓１２０の第二領域１２２は第二の凹部１１２を全域にわたって覆うような大きさを有しているが、そのようにすることは必ずしも必要ではなく、密閉栓１２０の揺動に支障を来さない範囲内において、第二領域１２２は任意の大きさとすることが可能である。
【００５１】
また、本実施形態に係る蓋１００においては、壁部１２７は内壁部１２７ａと外壁部１２７ｂとから構成されているが、必要に応じて、壁部１２７は内壁部１２７ａのみから構成することも可能であり、あるいは、外壁部１２７ｂのみから構成することも可能である。これらの場合においても、密閉栓１２０により通気口１１４を密閉状態に維持することが可能である。
【００５２】
本実施形態に係る蓋１００においては、通気口壁部１１５及び壁部１２７は何れもリング状に形成されているが、通気口壁部１１５及び壁部１２７をリング状に形成することは必ずしも必要ではない。例えば、通気口壁部１１５及び壁部１２７を四角形、六角形その他の多角形、楕円形、直線と曲線との組み合わせからなる形状などの任意の閉じた形状とすることが可能である。
【００５３】
また、本実施形態に係る蓋１００においては、蓋本体１１０に第一の凹部１１１と第二の凹部１１２とが形成されており、第二の凹部１１２の深さは第一の凹部１１１の深さよりも深く設定されているが、第二の凹部１１２の深さを第一の凹部１１１の深さと等しくなるように設定することも可能である。すなわち、この場合には、均一の深さの第一の凹部１１１が形成されていることと同義である。
【００５４】
また、本実施形態に係る蓋１００においては、通気口壁部１１５の高さは、通気口壁部１１５の頂点が蓋本体１１０の表面と同一面上にあるように設定されているが、通気口壁部１１５の高さは、通気口壁部１１５が蓋本体１１０の表面よりも高くならない範囲内において任意の高さにすることが可能である。
【００５５】
また、内壁部１２７ａ及び外壁部１２７ｂの少なくとも何れか一方の内壁側（通気口壁部１１５と当接する壁側）にＯリング用の溝を設け、その溝にＯリングを嵌め込み、密閉性を向上させることも可能である。
【００５６】
（第二の実施形態）
図５（Ａ）及び図５（Ｂ）は本考案の第二の実施形態に係る蓋２００の部分的な断面図である。
【００５７】
本考案の第二の実施形態に係る蓋２００は上述の第一の実施形態に係る蓋１００と比較して、壁部１２７に代えて壁部２２７が形成され、さらに、通気口壁部１１５に代えて凸部２１０が形成されている。この点を除いて本考案の第二の実施形態に係る蓋２００は上述の第一の実施形態に係る蓋１００と同一の構造を有している。このため、第一の実施形態に係る蓋１００と同一の構成要素に対しては第一の実施形態において使用した参照符号をそのまま用い、詳細な説明は省略する。
【００５８】
第二の実施形態における壁部２２７はリング状または円筒状に形成されており、密閉栓１２０の裏面から下方に向かって突出している。
【００５９】
第二の実施形態における凸部２１０は、通気口１１４の外周縁に沿って形成されているリング状または円筒状の第一凸部２１１と、第一凸部２１１から通気口１１４の半径方向外側に離れて形成されているリング状または円筒状の第二凸部２１２とから形成されている。
【００６０】
第一凸部２１１と第二凸部２１２の高さは相互に等しい。
【００６１】
第一凸部２１１の外壁と第二凸部２１２の内壁との間の距離は壁部２２７の肉厚に等しく設定されている。このため、壁部２２７は第一凸部２１１と第二凸部２１２との間の隙間に嵌め込むことが可能になっている。
【００６２】
壁部２２７、第一凸部２１１及び第二凸部２１２の高さは特に限定されない。壁部２２７、第一凸部２１１及び第二凸部２１２の高さは、壁部２２７を第一凸部２１１と第二凸部２１２との間の隙間に嵌め込んだときに、図５（Ａ）に示すように、密閉栓１２０がほぼ水平になるように各々設定される。
【００６３】
本実施形態に係る蓋２００の使用方法は第一の実施形態に係る蓋１００と同じである。
【００６４】
また、本実施形態に係る蓋２００は第一の実施形態に係る蓋１００と同様の効果を奏する。
【００６５】
本実施形態に係る蓋２００は上記の構造に限定されるものではなく、種々の改変が可能である。
【００６６】
例えば、本実施形態における凸部２１０は第一凸部２１１と第二凸部２１２とから構成されているが、凸部２１０を第一凸部２１１のみから構成することも可能であり、あるいは、凸部２１０を第二凸部２１２のみから構成することも可能である。凸部２１０を第一凸部２１１のみから構成する場合には、第一凸部２１１の外壁に壁部２２７の内壁が当接するようにして、壁部２２７が凸部２１０に嵌合する。凸部２１０を第二凸部２１２のみから構成する場合には、第二凸部２１２の内壁に壁部２２７の外壁が接するようにして、壁部２２７が凸部２１０に嵌合する。
【図面の簡単な説明】
【００６７】
【図１】図１は本考案の第一の実施形態に係る蓋を構成する蓋本体の斜視図である。
【図２】図２は本考案の第一の実施形態に係る蓋を構成する密閉栓の斜視図である。
【図３】図３は第一の実施形態に係る蓋を容器本体に嵌めた状態における断面斜視図である。
【図４】図４（Ａ）及び図４（Ｂ）は本考案の第一の実施形態に係る蓋の部分的な断面図である。
【図５】図５（Ａ）及び図５（Ｂ）は本考案の第二の実施形態に係る蓋の部分的な断面図である。
【図６】図６は従来の蓋の斜視図である。
【図７】図６に示した従来の蓋備える開閉機構を示す断面図である。
【図８】図６に示した従来の蓋備える開閉機構を示す断面図である。
【符号の説明】
【００６８】
１００  本考案の第一の実施形態に係る蓋
１１０  蓋本体
１１１  第一の凹部
１１２  第二の凹部
１１３  直立壁
１１４  通気口
１１５  通気口壁部
１２０  密閉栓
１２１  第一領域
１２２  第二領域
１２３  側壁
１２４  側壁
１２５  中間壁
１２６  孔
１２７  壁部
１２７ａ  内壁部
１２７ｂ  外壁部
１３０  容器本体
２００  本考案の第二の実施形態に係る蓋
２２７  壁部
２１０  凸部は
２１１  第一凸部
２１２  第二凸部
【図１】
0003148529.tif 000003
【図２】
0003148529.tif 000004
【図３】
0003148529.tif 000005
【図４】
0003148529.tif 000006
【図５】
0003148529.tif 000007
【図６】
0003148529.tif 000008
【図７】
0003148529.tif 000009
【図８】
0003148529.tif 000010